(57)【特許請求の範囲】
【請求項１】
開口部を有し光源を覆う中空のカバーと、前記カバーの開口部を塞ぐ蓋体と、前記光源が着脱自在に装着されるソケット、及び前記開口部を介して前記カバーの内部に挿入された状態で前記蓋体との間で前記カバーを挟持する鍔部を有する保持部と、前記蓋体を挟んで前記保持部を前記蓋体に固定するための固定ナットと、前記保持部を前記蓋体に仮保持させる構造とを備え、前記保持部及び前記固定ナットは、何れか一方に雄ねじ部が設けられるとともに、何れか他方に前記雄ねじ部が締め付けられる雌ねじ部が設けられ、前記蓋体及び前記保持部には、何れか一方に複数の弧状の挿入孔が設けられるとともに、何れか他方に前記各挿入孔に挿入される複数の引掛爪が設けられ、前記引掛爪は、前記挿入孔において自身が挿入可能な部位と自身が前記挿入孔の周縁に引っ掛かる部位との間で移動自在であり、前記仮保持させる構造は、前記引掛爪が前記挿入孔の周縁に引っ掛かることで前記保持部を前記蓋体に仮保持させるものであって、前記蓋体及び前記保持部には、前記引掛爪が前記挿入孔の周縁に引っ掛かる位置にある状態で互いに嵌め合わされる嵌合凸部及び嵌合凹部が各々設けられたことを特徴とする照明器具。
【請求項２】
前記嵌合凸部は、前記引掛爪が前記挿入孔に挿入された状態で前記嵌合凹部が設けられた面と接触しない寸法で設けられたことを特徴とする請求項１記載の照明器具。
【発明の詳細な説明】
【技術分野】
【０００１】
本発明は、照明器具に関する。
【背景技術】
【０００２】
従来から、天井から吊り下げられる、所謂ペンダントライト型の照明器具が知られており、例えば特許文献１に開示されている。以下、このようなペンダントライト型の照明器具の従来例について図面を用いて説明する。尚、以下の説明では、図６における上下を上下方向と定めるものとする。
【０００３】
この従来例は、図６に示すように、蛍光ランプ１００が着脱自在に装着されるソケット１０１と、天井から垂下するコードＡの一端に吊り下げられるとともに、ソケット１０１を保持する保持部１０２とを備える。また、上部に開口部１０３ａを有するとともに蛍光ランプ１００及び保持部１０２を覆う球状のカバー１０３と、カバー１０３の開口部１０３ａを覆う蓋体１０４とを備える。保持部１０２には、開口部１０３ａの径寸法よりも大きい径寸法を有する矩形板状の１対の鍔部１０２ａが設けられている。また、保持部１０２の上部には、保持部１０２を蓋体１０４に固定するための固定ナット１０５が有する雌ねじ部（図示せず）に締め付けられる雄ねじ部（図示せず）が設けられている。また、蓋体１０４には、コードＡを通すための通孔（図示せず）が設けられている。
【０００４】
以下、この従来例の組立方法について説明する。先ず、固定ナット１０５、蓋体１０４の通孔にコードＡを通し、コードＡの一端部に保持部１０２を取付ける。次に、ソケット１０１に蛍光ランプ１００を装着した後に、カバー１０３の開口部１０３ａを介して保持部１０２をカバー１０３の内部に挿入し、鍔部１０２ａをカバー１０３内部における開口部１０３ａ周縁に当接させる。そして、カバー１０３の開口部１０３ａに蓋体１０４を上方から被せて、固定ナット１０５を回動させることで保持部１０２の雄ねじ部に締め付ける。すると、カバー１０３の開口部１０３ａの周縁が、保持部１０２の鍔部１０２ａと蓋体１０４との間で挟持され、組立が完了する。
【先行技術文献】
【特許文献】
【０００５】
【特許文献１】特開２０００−２３５８０６号公報
【発明の概要】
【発明が解決しようとする課題】
【０００６】
しかしながら、上記従来例では、固定ナット１０５を締め付ける際に、保持部１０２を手で押さえることができないため、固定ナット１０５の回動に伴って保持部１０２も同時に回動してしまう。このため、固定ナット１０５を保持部１０２に対して締め付け難く、施工性が悪いという問題があった。また、固定ナット１０５を締め付ける際には、保持部１０２の鍔部１０２ａをカバー１０３内部における開口周縁に当接させた状態を維持しなければならないため、コードＡを引っ張り上げながら作業を行う必要がある。このため、コードＡを引っ張り上げるために片手が塞がることで施工性が悪くなり、また、誤って作業中にコードＡから手を離すと、保持部１０２がカバー１０３内に落下する虞があった。
【０００７】
本発明は、上記の点に鑑みて為されたもので、組立時における施工性を向上し、且つ保持部がカバー内部に落下するのを防止することのできる照明器具を提供することを目的とする。
【課題を解決するための手段】
【０００８】
本発明の照明器具は、開口部を有し光源を覆う中空のカバーと、前記カバーの開口部を塞ぐ蓋体と、前記光源が着脱自在に装着されるソケット、及び前記開口部を介して前記カバーの内部に挿入された状態で前記蓋体との間で前記カバーを挟持する鍔部を有する保持部と、前記蓋体を挟んで前記保持部を前記蓋体に固定するための固定ナットと、前記保持部を前記蓋体に仮保持させる構造とを備え、前記保持部及び前記固定ナットは、何れか一方に雄ねじ部が設けられるとともに、何れか他方に前記雄ねじ部が締め付けられる雌ねじ部が設けられ、前記蓋体及び前記保持部には、何れか一方に複数の弧状の挿入孔が設けられるとともに、何れか他方に前記各挿入孔に挿入される複数の引掛爪が設けられ、前記引掛爪は、前記挿入孔において自身が挿入可能な部位と自身が前記挿入孔の周縁に引っ掛かる部位との間で移動自在であり、前記仮保持させる構造は、前記引掛爪が前記挿入孔の周縁に引っ掛かることで前記保持部を前記蓋体に仮保持させるものであって、前記蓋体及び前記保持部には、前記引掛爪が前記挿入孔の周縁に引っ掛かる位置にある状態で互いに嵌め合わされる嵌合凸部及び嵌合凹部が各々設けられたことを特徴とする。
【０００９】
この照明器具において、前記嵌合凸部は、前記引掛爪が前記挿入孔に挿入された状態で前記嵌合凹部が設けられた面と接触しない寸法で設けられることが好ましい。
【発明の効果】
【００１０】
本発明は、固定ナットで保持部を蓋体に固定する際に蓋体に対する保持部の回動を規制することができるので、固定ナットの回転に伴って保持部が回転することがない。したがって、固定ナットを保持部に締め付け易く、組立時における施工性を向上させることができる。また、固定ナットで保持部を蓋体に固定する際に保持部が蓋体に仮保持されるため、作業中に保持部が取付けられたコードを引っ張り上げる必要がなく、組立時における施工性を向上させることができる。更に、誤って保持部がカバー内に落下するのを防止することができる。
【図面の簡単な説明】
【００１１】
【図１】本発明に係る照明器具の実施形態を示す図で、（ａ）は上側から見た分解斜視図で、（ｂ）は蓋体を下側から見た斜視図である。
【図２】同上の下側から見た分解斜視図である。
【図３】同上の保持部を示す図で、（ａ）は下側から見た分解斜視図で、（ｂ）は上面図である。
【図４】同上の組立方法の説明図で、（ａ）は保持部をカバー内部に挿入した状態を示す上側から見た分解斜視図で、（ｂ）は組立を完成した状態を示す上側から見た分解斜視図である。
【図５】同上を載置面に設置した場合を示す概略図である。
【図６】従来の照明器具を示す下側から見た分解斜視図である。
【発明を実施するための形態】
【００１２】
以下、本発明に係る照明器具の実施形態について図面を用いて説明する。尚、以下の説明では、図１（ａ）における上下を上下方向と定めるものとする。本実施形態は、図１（ａ），（ｂ）に示すように、上部に開口部１０を有し蛍光ランプＬａ（光源）を覆う中空のカバー１と、カバー１の開口部１０を塞ぐ蓋体２とを備える。また、蛍光ランプＬａが着脱自在に装着されるソケット３３を保持する保持部３と、保持部３を蓋体２に固定するための固定ナット４とを備える。
【００１３】
カバー１は、図１（ａ）に示すように、アクリル樹脂から球状に形成され、その上部には円形状の開口部１０が設けられている。開口部１０の外周縁には、全周に亘って下方に窪んだ窪み部１０ａが設けられている。このため、蓋体２で開口部１０を覆う際に、蓋体２の外周縁部が窪み部１０ａに載置されるため、蓋体２の位置決めをすることができる。尚、本実施形態のカバー１の外面は、全体に亘って乳白色にマット塗装されている。
【００１４】
蓋体２は、図１（ａ）に示すように、ポリカーボネートから下面が開口する傘状に形成され、その上部には後述するコードＡを通すための円形状の通孔２０ａが設けられている。また、通孔２０ａの周縁には、固定ナット４が嵌り込むように下方に窪んだ凹部２０が設けられている。而して、図４（ｂ）に示すように、固定ナット４を締め付けた際に、固定ナット４が蓋体２上面から突出しないように凹部２０に収容される。このため、例えば蓋体２を下にして本実施形態を載置面（例えば、床面、地面など）に置いた場合に、固定ナット４が隠れて見えないことから、外観性を向上させることができる。
【００１５】
蓋体２の上面には、本実施形態を載置面に設置するためのスタンドの機能を有する３つの脚部２４が設けられている。これら脚部２４は、何れも蓋体２の上面よりも上方に突出する形で設けられている。このため、図５に示すように、本実施形態を載置面に設置した場合に、載置面と蓋体２との間に隙間が生じるため、この隙間からコードＡを引き出すことができるようになっている。尚、本実施形態の蓋体２は、カバー１と同様に全体が乳白色に塗装されているが、各脚部２４のみ黒色で塗装されている。
【００１６】
蓋体２の凹部２０は、図１（ｂ）に示すように、下側から見ると下方（同図においては上方）に突出する円柱状の台部２１となっており、この台部２１に複数（図示では１対）の引掛爪２２が下方に突出する形で一体に形成されている。各引掛爪２２は、台部２１から下方に直立する主片２２ａと、主片２２ａの下端部から径方向の外向きに突出する側片２２ｂとから成り、全体として断面Ｌ字状に形成されている。また、蓋体２の下面には、台部２１を挟んで対向する位置に１対の丸棒状の嵌合凸部２３が下方に突出する形で一体に形成されている。
【００１７】
保持部３は、図３（ａ）に示すように、下面中央部が円形状に開口した円盤状の主部３０と、中央部に円形状の通孔３０ｃを有する円環状の台部３１と、ソケット３３が取付けられる半円形状の底板部３２とから成る。
【００１８】
主部３０は、金属材料から形成され、その径寸法はカバー１の開口部１０の径寸法よりも小さくなっている。尚、本実施形態では、主部３０は亜鉛ダイカスト製である。このように、金属材料で形成された主部３０は、図４（ｂ）に示すように本実施形態を天井から垂下するコードＡによって吊り下げ支持する場合に、全体の動きを抑制する重りの役割を果たす。また、同様に、図５に示すように本実施形態を載置面に設置する場合には、主部３０は重心を調整してバランスを取るための重りの役割を果たす。主部３０の上部には、図１（ａ），図３（ｂ）に示すように、下方に窪んだ凹部３０ｅが形成され、この凹部３０ｅの底面中央部には、コードＡを通すための円筒状のボス部３０ａが上方に突出する形で一体に形成されている。このボス部３０ａの内周面には、後述する固定ナット４の雄ねじ部が締め付けられる雌ねじ部（図示せず）が形成されている。また、凹部３０ｅの底面には、複数（図示では１対）の挿入孔３０ｂがボス部３０ａを挟む形で設けられている。
【００１９】
各挿入孔３０ｂは、図３（ｂ）に示すように、主部３０の周方向に沿って弧状に形成されている。各挿入孔３０ｂは、その一端部から中間部までが引掛爪２２の側片２２ｂが挿入可能な寸法となっており、中間部から他端部にかけては引掛爪２２の主片２２ａのみがスライド自在に移動可能な寸法となっている。このため、蓋体２の各引掛爪２２を各挿入孔３０ｂの一端部に挿入し、蓋体２を反時計周りに回動することで、各引掛爪２２が各挿入孔３０ｂの他端部に移動する。そして、各引掛爪２２の側片２２ｂが各挿入孔３０ｂの周縁に引っ掛かることで、各引掛爪２２が各挿入孔３０ｂから抜けるのを防ぐことができ、保持部３が蓋体２に仮保持される。
【００２０】
ここで、主部３０の上面には、凹部３０ｅを挟む形で下方に窪んだ１対の円形状の嵌合凹部３０ｃが設けられている。これら嵌合凹部３０ｃは、蓋体２の各引掛爪２２が各挿入孔３０ｂの他端部に位置する状態で、蓋体２に設けられた各嵌合凸部２３と互いに対向するような位置に形成されている。而して、各嵌合凸部２３を押し込んで各嵌合凹部３０ｃに嵌め合わせることで、保持部３が蓋体２に対して回動するのを規制することができるようになっている。
【００２１】
台部３１は、図３（ａ）に示すように、金属材料から円盤状に形成され、その中央部にはコードＡを通すための円形状の通孔３１ｃが設けられている。台部３１の外周縁には、径方向の外向きに突出する鍔部３１ａが周方向に亘って一体に形成されている。この鍔部３１ａの径寸法は、カバー１の開口部１０の径寸法よりも大きくなっている。また、鍔部３１ａのうち通孔３１ｃを挟んで対向する２箇所には、各々周方向に沿って切り欠き３１ｂが設けられている。この切り欠き３１ｂが設けられている部位における台部３１の径寸法は、カバー１の開口部１０の径寸法よりも小さくなっている。而して、保持部３を開口部１０に対して斜めに傾け、一方の切り欠き３１ｂにおける外周縁を開口部１０の内周縁に当接させながら保持部３を下方に移動させることで、保持部３をカバー１の内部に挿入することができるようになっている。
【００２２】
底板部３２は、図３（ａ）に示すように、ポリカーボネートから半円形状に形成された板状の部材であり、通孔３０ｃの一部を除いて覆うように台部３１に取り付けられる。また、底板部３２の下面には、ソケット３３がねじ止めによって取付固定されている。尚、本実施形態のソケット３３は、片口金の蛍光ランプＬａが装着可能となっている。
【００２３】
ここで、台部３１及び底板部３２には、各々３つの円形状のねじ挿入孔３１ｄ，３２ａが周方向に沿って間隔を空けて設けられている。また、主部３０においても、これらねじ挿入孔３１ｄ，３２ａと対向する位置に３つのねじ挿入孔３０ｄが設けられている。主部３０の各ねじ挿入孔３０ｄの内周面には、組立ねじ３４の雄ねじ部が締め付けられる雌ねじ部（図示せず）が形成されている。而して、各ねじ挿入孔３０ｄ，３１ｄ，３２ａを重ね合わせて、組立ねじ３４を挿入して締め付けることで、台部３１及び底板部３２が主部３０に固定され、保持部３が組み立てられる。
【００２４】
固定ナット４は、図２に示すように、その中央部がコードＡを通すために厚み方向に貫通する円環状に形成されている。固定ナット４の下面における中央部の孔の周縁からは、下方に突出する円筒状の突部４０が一体に形成され、当該突部４０の外周面に雄ねじ部が形成されている。而して、固定ナット４を蓋体２の凹部２０に嵌め込み、時計回りに回動して固定ナット４の雄ねじ部を保持部３のボス部３０ａに設けられた雌ねじ部に締め付けることで、蓋体２に保持部３が固定される。
【００２５】
コードＡは、ソケット３３を介して蛍光ランプＬａに点灯電力を供給するための電源コードであって、図４（ａ），（ｂ）に示すように、その一端部（下端部）が金具（図示せず）よって保持部３に固定され、張力止めが行われている。そして、コードＡの先端からは、ソケット３３を介して蛍光ランプＬａに点灯電力を供給する電源線（図示せず）が引き出され、ソケット３３の端子部３３ａ（図２参照）に接続される。
【００２６】
以下、本実施形態の組立方法について図面を用いて説明する。先ず、図４（ａ）に示すように、固定ナット４、蓋体２の通孔２０ａにコードＡを通し、コードＡの一端部に保持部３を取付ける。そして、蛍光ランプＬａをソケット３３に装着した後に、コードＡの一端部に取り付けられた保持部３を開口部１０を通してカバー１内部に挿入し、コードＡを引っ張り上げることで鍔部３１ａをカバー１内部における開口部１０の周縁に当接させる。次に、蓋体２の外周縁部をカバー１の窪み部１０ａに載置し、蓋体２の各引掛爪２２を保持部３の各挿入孔３０ｂの一端部に挿入する。そして、蓋体２を反時計回りに回動することで、各引掛爪２２の側片２２ｂを各挿入孔２０ｂの周縁に引っ掛け、保持部３を蓋体２に仮保持させる。この時点で、保持部３が蓋体２に仮保持されるので、コードＡから手を離してもよい。更に、蓋体２の各嵌合凸部２３を保持部３の各嵌合凹部３０ｃに押し込んで嵌め合わせることで、保持部３の蓋体２に対する回動を規制する。最後に、図４（ｂ）に示すように、固定ナット４を蓋体２の凹部２０に嵌め込み、時計回りに回動することで、固定ナット４の突部４０の雄ねじ部が保持部３のボス部３０ａの雌ねじ部に締め付けられ、保持部３が蓋体に固定される。同時に、鍔部３１ａと蓋体２との間でカバー１の開口部１０の周縁が挟持され、本実施形態の組立が完了する。
【００２７】
上述のように、本実施形態では、固定ナット４で保持部３を蓋体２に固定する際に各嵌合凸部２３と各嵌合凹部３０ｃとが互いに嵌め合わされるので、蓋体２に対する保持部３の回動を規制することができる。このため、固定ナット４の回転に伴って保持部３が回転することがないので、固定ナット４を保持部３のボス部３０ａの雌ねじ部に締め付け易く、組立時における施工性を向上させることができる。また、固定ナット４で保持部３を蓋体に固定する際に、各引掛爪２２の側片２２ｂを各挿入孔３０ｂの周縁に引っ掛けることで保持部３を蓋体２に仮保持させることができる。このため、コードＡを引っ張り上げなくとも保持部３の鍔部３１ａをカバー１内部における開口部１０の周縁に当接させた状態を維持することができる。而して、作業中に保持部３が取り付けられたコードＡを引っ張り上げる必要がなく、組立時における施工性を向上させることができる。更に、作業中においては蓋体２に保持部３が仮保持されているので、保持部３がカバー１内に誤って落下するのを防止することができる。
【００２８】
また、本実施形態では、蓋体２の各嵌合凸部２３は、その挿入方向の寸法が、各引掛爪２２が各挿入孔３０ｂに挿入された状態で各嵌合凹部３０ｃが設けられた面と接触しない寸法となっている。而して、蓋体２を反時計回りに回動する際に、各嵌合凸部２３が上記各嵌合凹部３０ｃに設けられた面と接触しないので、蓋体２を容易に回動することができて施工性を向上させることができる。
【００２９】
尚、本実施形態では、蓋体２に各引掛爪２２を、保持部３に各挿入孔３０ｂを設けているが、蓋体２に各挿入孔３０ｂを、保持部３に各引掛爪２２を設けてもよい。また、本実施形態では、蓋体２に各嵌合凸部２３を、保持部３に各嵌合凹部３０ｃを設けているが、蓋体２に各嵌合凹部３０ｃを、保持部３に各嵌合凸部２３を設けてもよい。更に、本実施形態では、保持部３に雌ねじ部を、固定ナット４に雄ねじ部を設けているが、保持部３に雄ねじ部を、固定ナット４に雌ねじ部を設けてもよい。
【００３０】
本実施形態は、図４（ａ），（ｂ）に示すように、天井（図示せず）から垂下されるコードＡによって吊り下げ支持することで、ペンダントライトとして利用することができる。また、本実施形態は、図５に示すように、各脚部２４を載置面に直立させて載置面に設置することで、スタンドライトとしても利用することができる。
【符号の説明】
【００３１】
１  カバー
１０  開口部
２  蓋体
２２  引掛片
２３  嵌合凸部
３  保持部
３０ｂ  挿入孔
３０ｃ  嵌合凹部
３１ａ  鍔部
３３  ソケット
４  固定ナット
Ｌａ  蛍光ランプ（光源）
【図１】
0005521248.tif 000002
【図２】
0005521248.tif 000003
【図３】
0005521248.tif 000004
【図４】
0005521248.tif 000005
【図５】
0005521248.tif 000006
【図６】
0005521248.tif 000007